(57)【要約】【課題】この発明は利用者の左右の脚部を別々或いは同時に持ち上げることができるようにした起床式ベッド装置を提供することにある。【解決手段】ベッドフレーム６と、このベッドフレームに固定された固定床部２２及びこの固定床部の上記ベッドフレームの幅方向に沿う一端部と他端部とにそれぞれ一端が回動可能に連結された左右一対の脚上げ床部２５〜２８を有する床板体２１と、上記床板体の下面側に設けられ上記一対の脚上げ床部のどちらか一方を選択的に、若しくは一対の脚上げ床部を同時に上昇方向に駆動する一対の脚上げアーム４３とを具備する。【選択図】　　図１
2004057217.tif 000002
【特許請求の範囲】
【請求項１】
ベッドフレームと、
このベッドフレームに固定された固定床部及びこの固定床部の上記ベッドフレームの幅方向に沿う一端部と他端部とにそれぞれ一端が回動可能に連結された左右一対の脚上げ床部を有する床板体と、
上記床板体の下面側に設けられ上記一対の脚上げ床部のどちらか一方を選択的に、若しくは一対の脚上げ床部を同時に上昇方向に駆動する駆動手段と、
を具備したことを特徴とする起床式ベッド装置。
【請求項２】
上記床板体にはマットレスが載置され、このマットレスは上記一対の脚上げ床部に対応する部分が幅方向中央から２つに分割されていることを特徴とする請求項１記載の起床式ベッド装置。
【請求項３】
上記駆動手段は、駆動源によって回転駆動される駆動軸と、この駆動軸の一端部と他端部とにそれぞれ基端部が回転及び軸方向にスライド可能に設けられ自由端にローラが回転可能に設けられた一対の脚上げアームと、上記駆動軸の各脚上げアームの近くに基端を固定して設けられ上記脚上げアームを接近方向にスライドさせたときにこの脚上げアームに係合し上記駆動軸の回転に上記脚上げアームを連動させる連動部材とによって構成されていることを特徴とする起床式ベッド装置。
【請求項４】
上記左右一対の脚上げ床部は、一端が上記固定床部に回動可能に連結され上記駆動手段によって上昇方向に駆動される第１の脚上げ床部と、この第１の脚上げ床部の他端に一端が回動可能に連結された第２の脚上げ床部とからなり、
上記第１の脚上げ床部が上記駆動手段によって上昇方向に駆動されたときに、上記第２の脚上げ床部は保持機構によって上記第１の脚上げ床部に対して所定の角度で保持されることを特徴とする請求項１記載の起床式ベッド装置。
【請求項５】
ベッド装置に用いられるマットレスであって、このマットレスの一端部は幅方向中央部から左右２つの部分に分割されていることを特徴とするマットレス。
【発明の詳細な説明】
【０００１】
【発明の属する技術分野】
この発明は病人用として好適する起床式ベッド装置及び起床式ベッド装置に用いられるマットレスに関する。
【０００２】
【従来の技術】
病人用のベッド装置においては、体力が低下した患者が食事をする場合などに上半身を起こすのを支援するために、いわゆる起床式ベッド装置が用いられる。起床式ベッド装置は、ベッドフレームの上面に設けられる床板体を、上記ベッドフレームの長手方向に対して複数の床部に分割し、そのうちの利用者の上半身に対応する部分の床部である、背上げ床部を駆動機構によって起伏駆動できる構成になっている。
【０００３】
利用者が背上げ床部によって上半身を起こす際、臀部が前方にずれ易いということがある。そこで、背上げ時には、背上げ床部だけでなく、利用者の脚部に対応位置する脚上げ床部も上記駆動機構によって同時に起上させるということが行なわれている。それによって、背上げ時に利用者の臀部が前方にずれ動くのを防止することができるようになっている。
【０００４】
起床式ベッド装置には、上記脚上げ床部を上記背上げ床部の動きに対して選択的に連動させることができるようにしたものがある。つまり、脚上げ床部を必要に応じて背上げ床部の動きに連動させたり、或いは背上げ床部の動きに係りなく、単独で起伏させることができるようにした構成がある。
【０００５】
最近、脚上げ床部を選択的に起伏させる構成の起床式ベッド装置を、特定の患者に利用するということが考えられている。たとえば、脚部を骨折するなどして傷めた患者などのように、仰臥状態において、脚部を上げて保持した方がよい場合に利用するということなどが検討されている。
【０００６】
【発明が解決しようとする課題】
しかしながら、従来の起床式ベッド装置は、選択的に起伏させることができる脚上げ床部を備えていても、脚上げ床部はベッドフレームの幅方向全長にわたる幅寸法を有しており、したがって患者の両脚部を同時に上げて保持することはできても、片方の脚部だけを上げて保持するということができなかった。
【０００７】
そのため、たとえば片方の脚部を傷めた患者の場合、片方の脚部だけを上げて保持すれればよいのに、両方の脚部を上昇させて保持するようになるため、腰部に掛かる負担が大きくなったり、使い勝手が悪いということがあるばかりか、利用目的などによっては患者に苦痛を与えることも考えられる。
【０００８】
この発明は、利用状況に応じて利用者の片方の脚部或いは両方の脚部のいずれであっても、選択的に上昇させた状態で保持することができるようにした起床式ベッド装置及びそのベッド装置に用いるためのマットレスを提供することにある。
【０００９】
【課題を解決するための手段】
請求項１の発明は、ベッドフレームと、
このベッドフレームに固定された固定床部及びこの固定床部の上記ベッドフレームの幅方向に沿う一端部と他端部とにそれぞれ一端が回動可能に連結された左右一対の脚上げ床部を有する床板体と、
上記床板体の下面側に設けられ上記一対の脚上げ床部のどちらか一方を選択的に、若しくは一対の脚上げ床部を同時に上昇方向に駆動する駆動手段と、
を具備したことを特徴とする起床式ベッド装置にある。
【００１０】
請求項２の発明は、上記床板体にはマットレスが載置され、このマットレスは上記一対の脚上げ床部に対応する部分が幅方向中央から２つに分割されていることを特徴とする請求項１記載の起床式ベッド装置にある。
【００１１】
請求項３の発明は、上記駆動手段は、駆動源によって回転駆動される駆動軸と、この駆動軸の一端部と他端部とにそれぞれ基端部が回転及び軸方向にスライド可能に設けられ自由端にローラが回転可能に設けられた一対の脚上げアームと、上記駆動軸の各脚上げアームの近くに基端を固定して設けられ上記脚上げアームを接近方向にスライドさせたときにこの脚上げアームに係合し上記駆動軸の回転に上記脚上げアームを連動させる連動部材とによって構成されていることを特徴とする起床式ベッド装置にある。
【００１２】
請求項４の発明は、上記左右一対の脚上げ床部は、一端が上記固定床部に回動可能に連結され上記駆動手段によって上昇方向に駆動される第１の脚上げ床部と、この第１の脚上げ床部の他端に一端が回動可能に連結された第２の脚上げ床部とからなり、
上記第１の脚上げ床部が上記駆動手段によって上昇方向に駆動されたときに、上記第２の脚上げ床部は保持機構によって上記第１の脚上げ床部に対して所定の角度で保持されることを特徴とする請求項１記載の起床式ベッド装置にある。
【００１３】
請求項５の発明は、ベッド装置に用いられるマットレスであって、このマットレスの一端部は幅方向中央部から左右２つの部分に分割されていることを特徴とするマットレスにある。
【００１４】
この発明によれば、床板体の脚上げ床部をベッドフレームの幅方向一端部と他端部とに位置する左右一対の脚上げ床部に分割し、駆動手段によってどちらか一方の脚上げ床部を選択的に、若しくは一対の脚上げ床部を同時に上昇方向に駆動できるから、利用者は片方の脚部だけを上げたり、両方の脚部を同時に上げるなど、状況に応じて使い分けすることができる。
【００１５】
【発明の実施の形態】
以下、図面を参照しながらこの発明の一実施の形態を説明する。
【００１６】
図１はこの発明の一実施の形態に係る起床式ベッド装置の斜視図であって、この起床式ベッド装置は四隅部に設けられたキャスタ２によって移動可能に構成されたベースフレーム１を備えている。このベースフレーム１の四隅部には連結部材３が設けられ、各連結部材３の上端部にはそれぞれ上下駆動アーム４の一端が枢着されている。
【００１７】
図３に示すように、ベースフレーム１の長手方向一端部に位置する一対の上下駆動アーム４の中途部は第１の連結軸５ａによって連結され、他端部に位置する一対の上下駆動アーム４の他端部は第２の連結軸５ｂによって連結されている。各一対の上下駆動アーム４の他端はそれぞれベッドフレーム６の長手方向の一端部と他端部との幅方向両側内面に垂設された連結片７（図２（ａ），（ｂ）に示す）に枢着されている。
【００１８】
第２の連結軸５ｂには上下駆動装置１１が枢着されている。この上下駆動装置１１は駆動源１２及びこの駆動源１２によって軸方向に進退駆動される駆動軸１３を有する。
【００１９】
上記第１の連結軸５ａと第２の連結軸５ｂとの軸方向中途部には、それぞれ連動杆１４の一端部と他端部とがブラケット１５を介して枢着されている。上記駆動軸１３の先端は上記連動杆１４の中途部に枢着されている。
【００２０】
したがって、上記上下駆動装置１１の駆動源１２が作動して駆動軸１３が軸方向に駆動されると、この動きに上記連動杆１４が連動する。それによって、第１、第２の連結軸５ａ，５ｂを介して上下駆動アーム４が連結部材３に枢着された一端を支点として他端が上昇する方向に回動するから、上下駆動アーム４の他端に枢着されたベッドフレーム６が上昇方向に駆動されることになる。
【００２１】
上記ベッドフレーム６には床板体２１が設けられる。この床板体２１は図４（ａ），（ｂ）に示すように複数の床部に分割されている。すなわち、床板体２１は上記ベッドフレーム６の長手方向中央部に、このベッドフレーム６に固定して設けられる固定床部２２を有する。この固定床部２２の一端には、腰上げ床部２３と背上げ床部２４とが順次回動可能に連結されている。
【００２２】
上記固定床部２２の他端には、この固定床部２２の幅方向一端部に第１の左側脚上げ床部２５と第２の左側脚上げ床部２６とが順次回動可能に連結されている。上記固定床部２２の幅方向他端部には第１の右側脚上げ床部２７と第２の右側脚上げ床部２８とが順次回動可能に連結されている。
【００２３】
上記床板体２１の固定床部２２を除く他の床部は床部駆動機構３１によって起伏駆動されるようになっている。この床部駆動機構３１は図３に示すように本体部３２を有する。この本体部３２はベッドフレーム６の長手方向に沿って細長い箱形状をなしていて、この本体部３２の一側面には第１の駆動源３３が設けられ、他側面には第２の駆動源３４が設けられている。
【００２４】
上記本体部３２には、長手方向一端部に第１の駆動軸３５が設けられ、他端部に第２の駆動軸３６が設けられている。第１の駆動軸３５と第２の駆動軸３６との両端部は、それぞれ上記ベッドフレーム６の幅方向両側内面に設けられた支持部３７に軸受３７ａ（図６に示す）を介して回転可能に支持されている。上記第１の駆動源３３が作動すると、上記第１の駆動軸３５が回転駆動され、上記第２の駆動源３４が作動すると、上記第２の駆動軸が回転駆動されるようになっている。
【００２５】
上記第１の駆動軸３５の両端部にはそれぞれ一対の背上げアーム３８が基端部を固着して設けられている。一対の背上げアーム３８の自由端部の対向する一側面にはそれぞれ一対の背上げローラ３９が所定間隔で回転可能に設けられている。各一対の背上げローラ３９は、上記床板体２１の背上げ床部２４の下面にベッドフレーム６の長手方向に沿って設けられた断面コ字状の係合部材（図示せず）に転動可能に係合している。
【００２６】
それによって、上記背上げアーム３８が起上方向に駆動されれば、その起上に応じて背上げ床部２４が起上し、この背上げ床部２４に腰上げ床部２３が連動するようになっている。
【００２７】
上記第２の駆動軸３６の軸方向両端部には、図３及び図７（ａ）〜（ｃ）に示すように筒状体４２がそれぞれ回転可能に装着されている。各筒状体４２の外周面には、この筒状体４２を第２の駆動軸３６の軸方向に沿ってスライドさせるための操作レバー４１が径方向に沿って設けられているとともに、操作レバー４１に対して周方向に所定角度ずれた位置に脚上げアーム４３の基端部が固着されている。この脚上げアーム４３の自由端部には脚上げローラ４４が回転可能に設けられている。
【００２８】
一方の脚上げアーム４３に設けられた脚上げローラ４４は第１の左側脚上げ床部２５の下面に設けられたガイドレール４５に当接しており、他方の脚上げアーム４３に設けられた脚上げローラ４４は第１の右側脚上げ床部２７の下面に設けられたガイドレール４５（図８（ａ）〜（ｃ）に示す）に当接している。なお、一対の脚上げアーム４３は、図７（ａ）に示すほぼ水平な状態でベッドフレーム６に設けられた図示しない保持部材に係合し、それよりも下方へ回動しないよう保持されている。
【００２９】
上記第２の駆動軸３６には、各筒状体４２の近傍に連動部材４６の基端部が固着して設けられている。連動部材４６は、図７（ａ）に示すように、ほぼ水平に保持された脚上げアーム４３よりも所定角度下方に位置する角度で取付けられており、自由端部には係合部としての係合軸４７が脚上げアーム４３の方向に向かって突設されている。
【００３０】
上記脚上げアーム４３の基端部には、脚上げアーム４３を連動部材４６に接近する方向にスライドさせたときに、上記係合軸４７に係合する係合凹部４８が形成されている。
【００３１】
図７（ａ）に示すように脚上げアーム４３が連動部材４６から離れた状態で第２の駆動軸３６を回転駆動しても、連動部材４６が上昇方向に回動するだけで、脚上げアーム４３は回動せず、水平状態に保持されたままである。
【００３２】
図７（ｂ）に示すように、脚上げアーム４３をスライドさせてその係合凹部４８を係合軸４７に係合させた状態で第２の駆動軸３６を回転駆動すると、図７（ｃ）に示すように連動部材４６の上昇方向への回動に上記脚上げアーム４３が連動する。それによって、第１の左側及び右側脚上げ床部２５，２７を上昇方向に駆動することができるようになっている。
【００３３】
図６に示すように、上記第２の駆動軸３６の両端部には樹脂製のスリーブ４９（一方のみ図示）が装着され、このスリーブ４９に上記脚上げアーム４３の基端部が固着された筒状体４２がスライド可能に外嵌されている。上記スリーブ４９には外周面に突出するとともに径方向内方へ弾性的に変位可能な受け部４９ａが設けられている。上記スリーブ４２には上記受け部４９ａに弾性的に係脱する第１、第２の凸部４２ａ，４２ｂが設けられている。
【００３４】
上記筒状体４２をスリーブ４９に沿ってスライドさせると、上記受け部４９ａに対して上記第１、第２の凸部４２ａ，４２ｂが弾性的に係脱する。それによって、図６に示す上記脚上げアーム４３の係合凹部４８が上記連動部材４６の係合軸４７に係合した位置と、図示しないが上記係合凹部４８と係合軸４７との係合が外れた位置とで上記筒状体４２が上記スリーブ４９に対して自由にスライドしない状態に弾性的に保持されるようになっている。
【００３５】
上記スリーブ４９の軸方向一端部の外周面には着色シール５０が設けられている。この着色シール５０は、図６に示すように、脚上げアーム４３に設けられた係合凹部４８が連動部材４６の係合軸４７に係合しているときには露出し、上記係合凹部４８が係合軸４７から外れているときには筒状体４２によって覆い隠されるようになっている。したがって、着色シール５０が露出しているか否かによって脚上げアーム４３のスライド位置を判別できるようになっている。
【００３６】
上記第１の左側及び右側脚上げ床部２５，２７が上昇方向に回動すると、これらの回動に第２の左側及び右側脚上げ床部２６，２８が連動する。第２の左側及び右側脚上げ床部２６，２８は、それぞれ保持機構５１によって上記第１の左側及び右側脚上げ床部２５，２７に対して所定の角度で保持できるようになっている。
【００３７】
上記保持機構５１は、図５に示すようにベッドフレーム６の幅方向両端部に、長手方向に沿って配設された一対の保持部材５２を有する。この保持部材５２は板材をほぼＵ字状に曲成してなり、その両側壁の長手方向一端部には第１の保持溝５３と第２の保持溝５４が形成され、他端部には第３の保持溝５５が形成されている。
【００３８】
図８（ａ）〜（ｃ）に示すように、一端を上記第１の左側及び右側脚上げ床部２５，２７に枢着した第２の左側及び右側脚保持床部２６，２８の他端部下面には支持杆５６の一端が枢着されている。この支持杆５６の他端には上記各保持溝５３〜５５に着脱可能に係合する支持軸５７が設けられている。
【００３９】
図８（ａ）に示すように、上記支持軸５７を保持部材５２の第１の保持溝５３に係合させた状態で第１の左側及び右側脚上げ床部２５，２７を起上方向に駆動すると、これら第１の左側及び右側脚上げ床部２５，２７に連動する第２の左側及び右側脚上げ床部２６，２８は第１の左側及び右側脚上げ床部２５，２７に連結された一端に対して他端が下方に位置する角度で上昇する。
【００４０】
図８（ｂ）に示すように、上記支持軸５７を第２の保持溝５４に係合させた状態で第１の左側及び右側脚上げ床部２５，２７を起上方向に駆動すると、各第１の左側及び右側脚上げ床部２５，２７に連動する第２の左側及び右側脚上げ床部２６，２８は第１の左側及び右側脚上げ床部２５，２７に連結された一端に対して他端がほぼ同じ高さになる角度で上昇する。つまり、第１の左側及び右側脚保持床部２６，２８はほぼ水平に保持される。
【００４１】
図８（ｃ）に示すように、上記支持軸５７を第３の保持溝５５に係合させた状態で第１の左側及び右側脚上げ床部２５，２７を起上方向に駆動すると、各第１の左側及び右側脚上げ床部２５，２７に連動する第２の左側及び右側脚上げ床部２６，２８は第１の左側及び右側脚上げ床部２５，２７に連結された一端よりも他端が高くなる角度で上昇する。
【００４２】
このように、支持軸５７を第１乃至第３の保持溝５３〜５５のいずれかに係合させて第１の左側及び右側脚上げ床部２５，２７を起上方向に駆動すれば、第１の左側及び右側脚上げ床部２５，２７に対して第２の左側及び右側脚上げ床部２８がなす角度を変えることができるようになっている。
【００４３】
なお、図８（ａ），（ｂ）の状態で第１、第２の左側及び右側脚上げ床部２５〜２８を倒伏させると、その倒伏に支持杆５６が連動して倒伏するが、図８（ｃ）の状態、つまり支持杆５６の下端に設けられた支持軸５７を第３の保持溝５５に係合させた状態では上記支持杆５６を連動させて倒伏させることができない。したがって、その場合には、支持軸５７を第３の保持溝５５から外して第１又は第２の保持溝５３，５４に係合させて倒伏させればよい。
【００４４】
上記床板体２１の上面には図９に示すマットレス６１が載置される。このマットレス６１は、たとえばウレタンフォーム（図示せず）などの弾性材料を袋状の外装地６２で被覆して構成されており、長手方向一端部の第１の左側及び右側脚上げ床部２５，２７及び第２の左側及び右側脚上げ床部２６，２８に対応する部分は、切断線６３により左右一対の第１の部分６４ａと、第２の部分６４ｂとに分割されている。
【００４５】
図１０はマットレス６１の変形例であって、このマットレス６１は外装地６２が伸縮性を有する布地によって形成されている。したがって、マットレスの一端部に形成される左右一対の第１、第２の部分６４ａ，６４ｂは外装地６２内に収容されたウレタンフォームだけが分断され、外装地６２は分断されていない。
【００４６】
そして、左側或いは右側の第１及び第２の脚上げ床部２５〜２８によって一対の第１、第２の部分６４ａ，６４ｂのどちらか一方が上昇方向に持ち上がられたときには、外装地６２が伸張するようになっている。
【００４７】
つぎに、上記構成の起床式ベッド装置を利用する場合について説明する。
【００４８】
床部駆動機構３１の第１の駆動源３３を作動させて第１の駆動軸３５を回転駆動させると、図２（ａ）に鎖線で示すように背上げアーム３８が起上方向に駆動される。それによって、床板体２１の背上げ床部２４が起上方向に駆動され、この背上げ床部２４とともに腰上げ床部２３も連動して起上することになる。したがって、床板体２１のマットレス６１上に仰臥した利用者は上半身が起こされることになる。
【００４９】
一方、床板体２１の第１の左側及び右側脚上げ床部２５，２７は、床部駆動機構３１の第２の駆動源３４を作動させて第２の駆動軸３６を回転駆動させることで、どちらか一方を選択的に、或いは両方を起上させることができる。
【００５０】
第１の左側脚上げ床部２５或いは右側脚上げ床部２７のどちらか一方を起上させる場合には、起上させる第１の左側或いは右側脚上げ床部側に位置する一方の脚上げアーム４３を図７（ａ）に示す状態から同図（ｂ）に示すように連動部材４６に接近する方向にスライドさせ、その係合凹部４８を連動部材４６に設けられた係合軸４７に係合させる。
【００５１】
その状態で第２の駆動源３４を作動させて第２の駆動軸３６を回転させれば、その回転に連動する連動部材４６の係合軸４７に係合凹部４８を係合させた一方の脚上げアーム４３が起上方向に回動する。それによって、一方の脚上げ床部、たとえば第１の左側脚上げ床部２５が脚上げローラ４４によって起上方向に駆動されるから、この第１の左側脚上げ床部２５に連結された第２の左側脚上げ床部２６が連動し、保持機構５１により第１の左側脚上げ床部２５に対して所定の角度で保持される。
【００５２】
第１の左側脚上げ床部２５に代わり、第１の右側脚上げ床部２７だけを第２の駆動軸３６の回転によって起上方向に駆動することもできる。つまり、その場合には、第１の右側脚上げ床部２７を起上させるための第２の脚上げアーム４３を第２の駆動軸３６に沿ってスライドさせ、その係合凹部４８を連動部材４６の係合軸４７に係合させる。
【００５３】
上記第１の左側脚上げ床部２５を起上させるための第２の脚上げアーム４３は、その係合凹部４８が連動部材４６の係合軸４７から外れる位置にスライドさせる。その状態で第２の駆動軸３６を第２の駆動源３４によって回転駆動すれば、第１の右側脚上げ床部２７だけが脚上げアーム４３によって起上方向に駆動されることになる。
【００５４】
このように、第１の左側脚上げ床部２５と第１の右側脚上げ床部２７のどちらか一方だけを選択的に起上方向に駆動させることができるばかりか、これら第１の左側及び右側脚上げ床部２５，２７の両方を同時に起上方向に駆動することもできる。その場合、第１の左側脚上げ床部２５と第１の右側脚上げ床部２７とを起上方向に駆動する一対の脚上げアーム４３を、これらの係合凹部４８がそれぞれ連動部材４６の係合軸４７に係合するようスライドさせる。それによって、第２の駆動軸３６の回転に一対の脚上げアーム４３が連動するから、第１の左側及び右側脚上げ床部２５，２７を一緒に起伏駆動させることができる。
【００５５】
この実施の形態では、上記床部駆動機構３１、上記脚上げアーム４３及び上記連動部材４６によって左側の脚上げ床部２５，２６或いは右側の脚上げ床部２７，２８を選択的或いは同時に起伏駆動するための駆動手段を構成している。
【００５６】
上記第１の左側及び右側脚上げ床部２５，２７を起上方向に駆動すると、これら脚上げ床部２５，２７の起上方向の動きに第２の左側及び右側脚上げ床部２６，２８が連動する。第２の左側及び右側脚上げ床部２６，２８は保持機構５１によって所定の角度で保持することができる。
【００５７】
つまり、第２の左側及び右側脚上げ床部２６，２８の自由端に一端が枢着された支持杆５６の他端に設けられた支持軸５７を、保持部材５２に形成された第１乃至第３の保持溝５３〜５５のいずれに係合させるかによって上記第２の左側及び右側脚上げ床部２６，２８の上記第１の左側及び右側脚上げ床部２５，２７に対する保持角度を変えることができる。
【００５８】
すなわち、図８（ａ）に示すように支持軸５７を第１の保持溝５３に係合させれば、第２の左側及び右側脚上げ床部２６，２８を第１の左側及び右側脚上げ床部２５，２７に連結された一端よりも自由端である他端が低くなる状態で保持することができ、支持軸５７を第２の保持溝５４に係合させれば、図８（ｂ）に示すように第２の左側及び右側脚上げ床部２６，２８をほぼ水平に保持することができる。
【００５９】
さらに、支持軸５７を第３の保持溝５５に係合させれば、図８（ｃ）に示すように第２の左側及び右側脚上げ床部２６，２８を他端が一端よりも高くなる状態で保持することができる。
【００６０】
すなわち、上記構成の起床式ベッド装置によれば、利用者の脚部を持ち上げるための脚床部を、利用者の左右の脚部に対応して第１、第２の左側脚上げ床部２５，２６と、第１、第２の右側脚上げ床部２７，２８とに分割し、左右のどちらか一方の脚上げ床部を選択的に起上させたり、両方を同時に起上させることができるようにした。
【００６１】
そのため、利用者は、片方の脚部だけを持ち上げた状態で仰臥したり、両方の脚部を持ち上げた状態で仰臥することができる。
【００６２】
しかも、利用者の脚部の膝から下の部分を保持する第２の左側及び右側脚上げ床部２６，２８は、上記第１の左側及び右側脚上げ床部２５，２７に対する角度を保持機構５１によって段階的に変えて保持することができる。
【００６３】
そのため、利用者は片方の脚部或いは両方の脚部を選択的に持ち上げて保持することができるだけでなく、そのときの脚部の曲げ角度を変えることもできるから、利用者の脚部を最適な状態、たとえば利用者に与える負担が最も少ない状態や病状に最も適した状態などで保持することが可能となる。
【００６４】
床板体２１の上面に載置されるマットレス６１は、第１、第２の左側脚上げ床部２５，２６及び右側脚上げ床部２７，２８に対応して幅方向中央部から切断線６３によって第１の部分６４ａと第２の部分６４ｂとに分割した。
【００６５】
そのため、第１、第２の左側脚上げ床部２５，２６或いは第１、第２の右側脚上げ床部２７，２８のどちらか一方だけを起上方向に駆動した場合であっても、上記マットレス６１は図９（ｂ）や図１０に示すように起上された左右の脚上げ床部に対応する幅方向の一方の部分だけを円滑に変形させることができるから、そのことによっても、利用者の左右一方の脚部だけを確実かつ円滑に上昇させた状態で保持することが可能となる。
【００６６】
この発明は上記一実施の形態に限定されず、種々変形可能である。たとえば、床部駆動機構の第２の駆動源によって回転駆動される１本の第２の駆動軸にそれぞれ一対の脚上げアームと連動部材とを設け、左側或いは右側の脚上げ床部を起伏駆動するようにしたが、一対の脚上げアームと連動部材とをそれぞれ別々の駆動軸に取付け、各駆動軸を別々の駆動源によって回転駆動することで、左側或いは右側の脚上げ床部を起伏駆動するようにしても差し支えない。
【００６７】
また、左右の脚上げ床部を固定床部に枢着された第１の脚上げ床部及びこの第１の脚上げ床部に枢着された第２の脚上げ床部とによって構成したが、第１の脚上げ床部だけであっても差し支えない。
【００６８】
また、腰上げ床部や背上げ床部がなく、固定床部と脚上げ床部だけの床板体であっても、この発明は適用可能である。
【００６９】
【発明の効果】
以上のようにこの発明によれば、床板体の脚上げ床部をベッドフレームの幅方向一端部と他端部とに位置する左右一対の脚上げ床部に分割し、駆動手段によってどちらか一方の脚上げ床部を選択的に、若しくは一対の脚上げ床部を同時に上昇方向に駆動できるようにした。
【００７０】
そのため、利用者は片方の脚部だけを上げたり、両方の脚部を同時に上げるなど、状況に応じて使い分けすることができる。
【図面の簡単な説明】
【図１】この発明の一実施の形態に係る起床式ベッド装置の斜視図。
【図２】（ａ）は床板体を除いた起床式ベッド装置の側面図、（ｂ）は床板体を含む起床式ベッド装置の側面図。
【図３】床板体を除いた起床式ベッド装置の平面図。
【図４】（ａ）は床板体の平面図、（ｂ）は起床式ベッド装置の平面図。
【図５】ベッドフレームの保持機構が設けられた一端部の斜視図。
【図６】第２の駆動軸の一端部分の断面図。
【図７】脚上げアームと連動部材とを示す斜視図。
【図８】第２の脚上げ床部を異なる角度で保持した状態を示す説明図。
【図９】（ａ）マットレスの平面図、（ｂ）マットレスの分断された一方の部分が脚上げ床部の起上に応じて変形した状態を示す斜視図。
【図１０】マットレスの変形例を示す斜視図。
【符号の説明】
６…ベッドフレーム
２１…床板体
２２…固定床部
２５…第１の左側脚上げ床部
２６…第２の左側脚上げ床部
２７…第１の右側脚上げ床部
２８…第２の右側脚上げ床部
３１…床部駆動機構
３４…第２の駆動源
３６…第２の駆動軸
３８…背上げアーム
４３…脚上げアーム
４４…脚上げローラ
４６…連動部材
４７…係合軸
４８…係合凹部
５１…保持機構
５２…保持部材
６１…マットレス
【図１】
2004057217.tif 000003
【図２】
2004057217.tif 000004
【図３】
2004057217.tif 000005
【図４】
2004057217.tif 000006
【図５】
2004057217.tif 000007
【図６】
2004057217.tif 000008
【図７】
2004057217.tif 000009
【図８】
2004057217.tif 000010
【図９】
2004057217.tif 000011
【図１０】
2004057217.tif 000012